(57)【要約】【課題】セミパーシステントスケジューリング対象のＵＥ２０の無音状態と有音状態とが繰り返される場合であっても、制御オーバヘッドの増加を防止でき、かつ、無線リソースを効率的に利用可能とする。【解決手段】本発明の無線基地局は、セミパーシステントスケジューリング対象の各ＵＥ２０に対する無線リソースの割り当て単位であるスケジューリングユニット（ＳＰＳＵ）を複数連続させて構成されるブロックスケジューリングユニット（ブロックＳＰＳＵ）を所定の時間間隔で確保する確保部と、前記ブロックＳＰＳＵが各ＵＥ２０間で共有されるように、各ＵＥ２０に対してブロックスケジューリングユニットを構成するスケジューリングユニットを割り当てる割り当て部と、を具備する。【選択図】図２
2011188179.tif 000002
【特許請求の範囲】
【請求項１】
セミパーシステントスケジューリング対象の各無線通信端末に対する無線リソースの割り当て単位であるスケジューリングユニットを複数連続させて構成されるブロックスケジューリングユニットを、所定の時間間隔で確保する確保部と、
前記ブロックスケジューリングユニットが前記各無線通信端末間で共有されるように、前記各無線通信端末に対して前記ブロックスケジューリングユニットを構成するスケジューリングユニットを割り当てる割り当て部と、
を具備することを特徴とする無線基地局。
【請求項２】
前記ブロックスケジューリングユニットの割り当て情報であるブロック割り当て情報に対して、該ブロックスケジューリングユニットを構成するスケジューリングユニットが割り当てられる無線通信端末から構成されるグループの識別情報を付加し、前記グループの識別情報が付加された前記ブロック割り当て情報を下り制御チャネルを用いて送信する割り当て情報送信部を更に具備することを特徴とする請求項１に記載の無線基地局。
【請求項３】
前記無線通信端末に対する下りデータに対して、該無線通信端末の識別情報を付加し、該無線通信端末の識別情報が付加された前記下りデータを該無線通信端末に割り当てられた前記スケジューリングユニットを用いて送信する下りデータ送信部を更に具備することを特徴とする請求項２に記載の無線基地局。
【請求項４】
前記無線通信端末に対する下りデータを格納する格納部を更に具備し、
前記割り当て部は、前記格納部に格納された下りデータの宛先の無線通信端末に対して、前記ブロックスケジューリングユニットを構成するスケジューリングユニットを割り当てることを特徴とする請求項３に記載の無線基地局。
【請求項５】
前記ブロックＳＰＳＵとして確保された確保時間までに前記格納部に格納された下りデータの数が、前記ブロックスケジューリングユニットを構成するスケジューリングユニット数を超える場合、前記割り当て部は、前記ブロックスケジューリングユニットを構成するスケジューリングユニットが割り当てられなかった無線通信端末に対して、ダイナミックスケジューリングを用いてスケジューリングユニットを割り当てることを特徴とする請求項４に記載に無線基地局。
【請求項６】
前記確保時間までに前記格納部に前記格納部に格納された下りデータの数が前記スケジューリングユニット数を超える状態が所定回数継続された場合、前記確保部は、前記ブロックスケジューリングユニットを構成する前記スケジューリングユニット数を増加させることを特徴とする請求項５に記載の無線基地局。
【請求項７】
前記確保時間までに前記格納部に前記格納部に格納された下りデータの数が０である状態が所定回数継続された場合、前記確保部は、前記所定の時間間隔で確保された前記ブロックスケジューリングユニットを解放することを特徴とする請求項５又は６に記載の無線基地局。
【請求項８】
前記ブロックスケジューリングユニットを構成するスケジューリングユニットを用いて上りデータを受信する上りデータ受信部と、
前記上りデータ受信部によって受信された上りデータに付加された無線通信端末の識別情報に基づいて、前記上りデータの送信元を検出する検出部と、を更に具備することを特徴とする請求項１に記載の無線基地局。
【請求項９】
セミパーシステントスケジューリング対象の無線通信端末に対する無線リソースの割り当て単位であるスケジューリングユニットを複数連続させて構成されるブロックスケジューリングユニットの割り当て情報であるブロック割り当て情報を、下り制御チャネルを用いて受信する割り当て情報受信部と、
前記ブロック割り当て情報が示すブロックスケジューリングユニットを構成するスケジューリングユニットを用いて下りデータを受信する下りデータ受信部と、
前記下りデータ受信部によって受信された下りデータに付加された無線通信端末の識別情報に基づいて、自端末宛ての下りデータを判別して取得する下りデータ取得部と、
を具備することを特徴とする無線通信端末。
【請求項１０】
無線基地局に対して、上りデータを送信するための無線リソースの割り当てを要求する割り当て要求部と、
セミパーシステントスケジューリング対象の無線通信端末に対する無線リソースの割り当て単位であるスケジューリングユニットを複数連続させて構成されるブロックスケジューリングユニットの割り当て情報であるブロック割り当て情報を、下り制御チャネルを用いて受信する割り当て情報受信部と、
前記ブロック割り当て情報が示すブロックスケジューリングユニットを構成するスケジューリングユニットの中から、ランダムにスケジューリングユニットを選択し、選択したスケジューリングユニットを用いて、自端末の識別情報を付加した上りデータを送信する上りデータ送信部と、
を具備することを特徴とする無線通信端末。
【請求項１１】
セミパーシステントスケジューリング対象の各無線通信端末に対する無線リソースの割り当て単位であるスケジューリングユニットを複数連続させて構成されるブロックスケジューリングユニットを、所定の時間間隔で確保する工程と、
前記ブロックスケジューリングユニットが前記各無線通信端末間で共有されるように、前記各無線通信端末に対して前記ブロックスケジューリングユニットを構成するスケジューリングユニットを割り当てる工程と、
を具備することを特徴とするリソース割り当て方法。
【発明の詳細な説明】
【技術分野】
【０００１】
本発明は、セミパーシステントスケジューリングにより割り当てられた無線リソースを用いて通信を行う無線基地局、無線通信端末及びリソース割り当て方法に関する。
【背景技術】
【０００２】
従来、ＶｏＩＰ（Ｖｏｉｃｅ  ｏｖｅｒ  ＩＰ）データなどのように、周期的に発生するがペイロードサイズが小さいパケットデータを送受信するための無線リソースの割り当て方法として、セミパーシステントスケジューリングが知られている（例えば、非特許文献１）。
【０００３】
セミパーシステントスケジューリングでは、１つの無線通信端末に対して、所定の時間間隔で無線リソースを固定的に割り当てることにより、周期的に発生するがペイロードサイズが小さいパケットデータの送受信に伴う制御オーバヘッドを削減している。
【０００４】
また、セミパーシステントスケジューリングでは、無線通信端末の無音状態（Ｔａｌｋ  Ｓｐｕｒｔ  ＯＦＦ状態）が検出された場合には、該無線通信端末に固定的に割り当てられた無線リソースを解放することにより無線リソースの利用効率を高めている。一方、該無線通信端末の有音状態（Ｔａｌｋ  Ｓｐｕｒｔ  ＯＮ状態）が再び検出された場合、該無線通信端末に対して新たに無線リソースが固定的に割り当てられる。
【先行技術文献】
【非特許文献】
【０００５】
【非特許文献１】３ＧＰＰ，ＴＳ３６．３２１  Ｃｈａｐｔｅｒ  ５．１０
【発明の概要】
【発明が解決しようとする課題】
【０００６】
しかしながら、上述のセミパーシステントスケジューリングでは、無線通信端末の無音状態と有音状態とが繰り返される場合、該無線通信端末に固定的に割り当てられた無線リソースの解放処理と新たな無線リソースの割り当て処理とが繰り返されるため、制御オーバヘッドが増大し、無線リソースの利用効率が低下するという問題点があった。
【０００７】
本発明は、かかる点に鑑みてなされたものであり、セミパーシステントスケジューリング対象の無線通信端末の無音状態と有音状態とが繰り返される場合であっても、制御オーバヘッドの増加を防止でき、かつ、無線リソースを効率的に利用可能な無線基地局、無線通信端末及びリソース割り当て方法を提供することを目的とする。
【課題を解決するための手段】
【０００８】
本発明の第１の側面に係る無線基地局は、セミパーシステントスケジューリング対象の各無線通信端末に対する無線リソースの割り当て単位であるスケジューリングユニットを複数連続させて構成されるブロックスケジューリングユニットを、所定の時間間隔で確保する確保部と、前記ブロックスケジューリングユニットが前記各無線通信端末間で共有されるように、前記各無線通信端末に対して前記ブロックスケジューリングユニットを構成するスケジューリングユニットを割り当てる割り当て部と、を具備する。
【０００９】
かかる構成によれば、ブロックスケジューリングユニットが所定の時間間隔で固定的に確保され、当該ブロックスケジューリングユニットがセミパーシステントスケジューリング対象の各無線通信端末間で共有される。このため、セミパーシステントスケジューリング対象の特定の無線通信端末が無音状態と有音状態を繰り返す場合であっても、制御オーバヘッドの増加を防止でき、かつ、無線リソースを効率的に利用できる。
【００１０】
本発明の第２の側面に係る無線通信端末は、セミパーシステントスケジューリング対象の無線通信端末に対する無線リソースの割り当て単位であるスケジューリングユニットを複数連続させて構成されるブロックスケジューリングユニットの割り当て情報であるブロック割り当て情報を、下り制御チャネルを用いて受信する割り当て情報受信部と、前記ブロック割り当て情報が示すブロックスケジューリングユニットを構成するスケジューリングユニットを用いて下りデータを受信する下りデータ受信部と、前記下りデータ受信部によって受信された下りデータに付加された無線通信端末の識別情報に基づいて、自端末宛ての下りデータを判別して取得する下りデータ取得部と、を具備する。
【００１１】
本発明の第３の側面に係る無線通信端末は、無線基地局に対して、上りデータを送信するための無線リソースの割り当てを要求する割り当て要求部と、セミパーシステントスケジューリング対象の無線通信端末に対する無線リソースの割り当て単位であるスケジューリングユニットを複数連続させて構成されるブロックスケジューリングユニットの割り当て情報であるブロック割り当て情報を、下り制御チャネルを用いて受信する割り当て情報受信部と、前記ブロック割り当て情報が示すブロックスケジューリングユニットを構成するスケジューリングユニットの中から、ランダムにスケジューリングユニットを選択し、選択したスケジューリングユニットを用いて、自端末の識別情報を付加した上りデータを送信する上りデータ送信部と、を具備する。
【００１２】
本発明の第４の側面に係るリソース割り当て方法は、セミパーシステントスケジューリング対象の各無線通信端末に対する無線リソースの割り当て単位であるスケジューリングユニットを複数連続させて構成されるブロックスケジューリングユニットを、所定の時間間隔で確保する工程と、前記ブロックスケジューリングユニットが前記各無線通信端末間で共有されるように、前記各無線通信端末に対して前記ブロックスケジューリングユニットを構成するスケジューリングユニットを割り当てる工程と、を具備する。
【発明の効果】
【００１３】
本発明によれば、セミパーシステントスケジューリング対象の無線通信端末の無音状態と有音状態とが繰り返される場合であっても、制御オーバヘッドの増加を防止でき、かつ、無線リソースを効率的に利用可能な無線基地局、無線通信端末及びリソース割り当て方法を提供できる。
【図面の簡単な説明】
【００１４】
【図１】本実施形態に係る無線通信システムの構成図である。
【図２】従来及び本実施形態に係るセミパーシステントスケジューリング対象の無線通信端末に対する無線リソースの従来の割り当て例を示す図である。
【図３】本実施形態に係るｅＮＢ及びＵＥの機能構成図である。
【図４】本実施形態に係る下りデータを説明するための図である。
【図５】従来のＳＰＳＵ割り当て情報と本実施形態に係るブロック割り当て情報を説明するための図である。
【図６】本実施形態に係るブロック割り当て情報を説明するための図である。
【図７】本実施形態に係る上りデータを説明するための図である。
【図８】本実施形態に係る下りデータの送信動作を示すシーケンス図である。
【図９】本実施形態に係る上りデータの送信動作を示すシーケンス図である。
【図１０】本実施形態に係る下りデータ送信用のブロックＳＰＳＵの確保動作を示す図である。
【図１１】本実施形態に係る下りデータ送信用のブロックＳＰＳＵの確保動作を示す図である。
【図１２】本実施形態に係る下りデータ送信用のブロックＳＰＳＵを構成するＳＰＳＵの割り当て動作を示す図である。
【図１３】本実施形態に係る下りデータ送信用のブロックＳＰＳＵを構成するＳＰＳＵの割り当て動作を示す図である。
【発明を実施するための形態】
【００１５】
以下、本発明の実施形態について説明する。なお、以下の図面の記載において、同一または類似の部分には、同一または類似の符号を付している。
【００１６】
＜無線通信システムの全体概略構成＞
図１は、本実施形態に係る無線通信システムの構成図である。図１に示すように、無線通信システムは、ＬＴＥ（Ｌｏｎｇ  Ｔｅｒｍ  Ｅｖｏｌｕｔｉｏｎａｌ）方式やＬＴＥ−Ａｄｖａｎｃｅｄ方式などの各種無線通信方式に対応した無線基地局であるｅＮＢ（ＮｏｄｅＢ）１０と、携帯電話端末、ノートパソコン、携帯型ゲーム機などの無線通信端末であるＵＥ２０ａ乃至２０ｅとから構成される。ｅＮＢ１０は、自局が形成するセルＣ内に属するＵＥ２０ａ乃至２０ｅとの間で、ペイロードサイズが小さいが周期的に発生するパケットデータ（例えば、ＶｏＩＰデータ）を送受信する。
【００１７】
具体的には、下りリンクでは、ｅＮＢ１０は、セミパーシステントスケジューリング対象のＵＥ２０ａ乃至２０ｅに対する下りデータを送信するための無線リソース（ＰＤＳＣＨ：Ｐｈｙｓｉｃａｌ  Ｄｏｗｎｌｉｎｋ  Ｓｈａｒｅｄ  Ｃｈａｎｎｅｌ）を割り当てるとともに、無線リソースの割り当て情報をＰＤＣＣＨ（Ｐｈｙｓｉｃａｌ  Ｄｏｗｎｌｉｎｋ  Ｃｏｎｔｒｏｌ  Ｃｈａｎｎｅｌ）を用いてＵＥ２０ａ乃至２０ｅに通知する。ＵＥ２０ａ乃至２０ｅは、ＰＤＣＣＨによって通知された割り当て情報に基づいて、自端末宛ての下りデータを受信する。
【００１８】
一方、上りリンクでは、ｅＮＢ１０は、セミパーシステントスケジューリング対象のＵＥ２０ａ乃至ＵＥ２０ｅからの無線リソースの割り当て要求に応じて、上りデータを送信するための無線リソース（ＰＵＳＣＨ：Ｐｈｙｓｉｃａｌ  Ｕｐｌｉｎｋ  Ｓｈａｒｅｄ  Ｃｈａｎｎｅｌ）を割り当てるとともに、ＰＤＣＣＨを用いて無線リソースの割り当て情報をＵＥ２０ａ乃至２０ｅに通知する。ＵＥ２０は、ＰＤＣＣＨによって通知された割り当て情報に基づいて、上りデータを送信する。
【００１９】
なお、図１において、ＵＥ２０ａ乃至ＵＥ２０ｅは、全て同じ構成を有するため、区別しない場合は、ＵＥ２０と総称する。また、図１において、５つのＵＥ２０を図示したが、ＵＥ２０の数はこれに限られるものではない。また、ｅＮＢ１０は、上述のＬＴＥ方式、ＬＴＥ−Ａｄｖａｎｃｅｄ方式に続く新たな無線通信方式に対応した無線基地局であってもよい。
【００２０】
次に、本実施形態に係る無線通信システムにおけるセミパーシステントスケジューリング対象のＵＥ２０に対する無線リソースの割り当てについて詳述する。図２は、従来及び本実施形態に係るセミパーシステントスケジューリング対象の無線通信端末に対する無線リソースの割り当て例を示す図である。
【００２１】
図２（ａ）に示すように、従来の無線リソースの割り当て方法では、セミパーシステントスケジューリングの対象となるＵＥ２０ａ乃至ＵＥ２０ｅのそれぞれに対して、セミパーシステントスケジューリングユニット（以下、ＳＰＳＵ（Ｓｅｍｉ  Ｐｅｒｓｉｔｅｎｔ  Ｓｃｈｅｄｕｌｉｎｇ）という）が所定の時間間隔で固定的に割り当てられる。
【００２２】
ここで、ＳＰＳＵとは、セミパーシステントスケジューリング対象のＵＥ２０に対する無線リソースの割り当て単位であり、１つのＳＰＳＵは、時間方向の１サブフレーム（１０ｍｓ）、周波数方向に連続する１つ以上のリソースブロックから構成される。
【００２３】
例えば、図２（ａ）において、ＵＥ２０ａに対しては、下り又は上りデータの送信要求に対応した時間Ｔ１のＳＰＳＵと、時間Ｔ１から所定の時間間隔ＴＩ（例えば、２０ＴＴＩ（Ｔｒａｎｓｍｉｓｓｉｏｎ  Ｔｉｍｅ  Ｉｎｔｅｒｖａｌ）＝２０ｍｓ）後の時間Ｔ３のＳＰＳＵとが割り当てられる。なお、ＵＥ２０ｂ及びＵＥ２０ｃに対しても、同様に、ＳＰＳＵが割り当てられる。
【００２４】
また、ＵＥ２０ｄについては時間Ｔ２の経過後に無音状態が検知されたため、当該ＵＥ２０ｄに割り当てられたＳＰＳＵが解放される。このため、時間Ｔ２から所定の時間間隔ＴＩ後の時間Ｔ５のＳＰＳＵには、ＵＥ２０ｄではなく、ＵＥ２０ｅが割り当てられる。
【００２５】
一方、図２（ｂ）に示すように、本実施形態に係る無線リソースの割り当て方法では、連続する複数のＳＰＳＵから構成されるブロックＳＰＳＵが、所定の時間間隔ＴＩ（図２では、２０ＴＴＩ）で固定的に確保される。また、当該ブロックＳＰＳＵがセミパーシステントスケジューリング対象のＵＥ２０ａ乃至２０ｅで共有されるように、ＵＥ２０ａ乃至２０ｅに対して当該ブロックＳＰＳＵが割り当てられる。
【００２６】
ここで、ブロックＳＰＳＵとは、連続する複数のＳＰＳＵから構成されるものであり、セミパーシステントスケジューリング対象のＵＥ２０間で共有される。１つのブロックＳＰＳＵは、図２に示すように、１つの時間領域（例えば、１サブフレーム（１０ｍｓ））において周波数方向に連続する複数のＳＰＳＵから構成される。なお、図示しないが、１つのブロックＳＰＳＵは、１つの周波数領域において時間方向に連続する複数のＳＰＳＵから構成されてもよいし、或いは、時間方向と周波数方向との双方に連続する複数のＳＰＳＵから構成されてもよい。
【００２７】
例えば、図２（ｂ）において、ＵＥ２０ａに対しては、ＵＥ２０ｂ、ＵＥ２０ｄとともに、時間Ｔ２のブロックＳＰＳＵを構成するＳＰＳＵが割り当てられ、当該ブロックＳＰＳＵを構成するＳＰＳＵを用いて下り又は上りデータが送信される。また、ＵＥ２０ａに対しては、時間Ｔ２から所定の時間間隔ＴＩ後の時間Ｔ５のブロックＳＰＳＵを構成するＳＰＳＵも割り当てられ、当該ブロックＳＰＳＵを構成するＳＰＳＵを用いて下り又は上りデータが送信される。
【００２８】
また、ＵＥ２０ｂ乃至２０ｅに対しても、同様に、ブロックＳＰＳＵを構成するＳＰＳＵが割り当てられ、当該ブロックＳＰＳＵを構成するＳＰＳＵを用いて、下り又は上りデータが送信される。
【００２９】
このように、本実施形態では、ブロックＳＰＳＵが所定の時間間隔で固定的に確保され、当該ブロックＳＰＳＵがセミパーシステントスケジューリング対象のＵＥ２０間で共有される。このため、特定のＵＥ２０が無音状態と有音状態を繰り返す場合であっても、制御オーバヘッドの増加を防止でき、かつ、無線リソースを効率的に利用できる。
【００３０】
次に、本実施形態に係る無線通信システムを構成するｅＮＢ１０及びＵＥ２０の構成を説明する。ｅＮＢ１０及びＵＥ２０は、物理的には、アンテナ、変復調器、ＣＰＵ、メモリなどを備えた装置である。図３は、本実施形態に係るｅＮＢ１０及びＵＥ２０の機能構成図である。
【００３１】
＜ｅＮＢの構成＞
図３に示すように、ｅＮＢ１０は、無線通信部１０１、下りデータ生成部１０２、ＵＥ−ＩＤ付加部１０３、下りデータキュー１０４、リソース割り当て部１０５、割り当て情報生成部１０６、ＳＰＳＵブラインド検出部１０７、上りデータ取得部１０８を具備する。
【００３２】
無線通信部１０１は、ＵＥ２０との間で各種データを送受信する。具体的には、無線通信部１０１は、ＰＤＣＣＨを用いて後述する割り当て情報を送信する。また、無線通信部１０１は、ＰＤＳＣＨ（Ｐｈｙｓｉｃａｌ  Ｄｏｗｎｌｉｎｋ  Ｓｈａｒｅｄ  Ｃｈａｎｎｅｌ）を用いてＵＥ２０に対する下りデータを送信する。また、無線通信部１０１は、ＰＵＳＣＨ（Ｐｈｙｓｉｃａｌ  Ｕｐｌｉｎｋ  Ｓｈａｒｅｄ  Ｃｈａｎｎｅｌ）を用いてＵＥ２０からの上りデータを受信する。
【００３３】
下りデータ生成部１０２は、セミパーシステントスケジューリング対象のＵＥ２０に対する下りデータを生成する。
【００３４】
ＵＥ−ＩＤ付加部１０３は、下りデータ生成部１０２で生成された下りデータに対して、該下りデータの送信先のＵＥ２０の識別情報を付加する。図４は、本実施形態に係る下りデータを説明するための図である。図４に示すように、ＵＥ−ＩＤ付加部１０３は、下りデータ生成部１０２で生成された下りデータに対して、ＣＲＣ（Ｃｙｃｌｉｃ  Ｒｅｄｕｎｄａｎｃｙ  Ｃｈｅｃｋ）などの誤り検出符号を付加し、付加された誤り検出符号と送信先のＵＥ２０の識別情報（ＵＥ−ＩＤ）との排他的論理和を演算することによって、ＵＥ２０の識別情報を付加する。
【００３５】
なお、ＵＥ−ＩＤ付加部１０３は、下りデータに対して、ＣＲＣとは別の領域に、送信先のＵＥ２０の識別情報を付加してもよい。
【００３６】
下りデータキュー１０４は、ＵＥ−ＩＤ付加部１０３によって送信先のＵＥ２０の識別情報が付加された下りデータをＦＩＦＯ（Ｆｉｒｓｔ−Ｉｎ  Ｆｉｒｓｔ−Ｏｕｔ）で格納する。
【００３７】
リソース割り当て部１０５は、複数のＳＰＳＵから構成されるブロックＳＰＳＵを所定の時間間隔ＴＩ（例えば、２０ＴＴＩ）で確保する。具体的には、リソース割り当て部１０５は、ブロックＳＰＳＵを構成するＳＰＳＵの数であるブロックＳＰＳＵサイズＮＢＳＰＳを決定し、決定したブロックＳＰＳＵサイズＮＢＳＰＳのブロックＳＰＳＵを所定の時間間隔ＴＩで確保する。
【００３８】
ここで、下りデータ用のブロックＳＰＳＵサイズＮＢＳＰＳは、予め定められた固定値であってもよいし、下りデータキュー１０４に格納された下りデータの数である下りデータ格納数ＮＢＵＦＦＥＲに応じて決定された値であってもよい。
【００３９】
また、リソース割り当て部１０５は、下りデータ格納数ＮＢＵＦＦＥＲが確保されたブロックＳＰＳＵのブロックＳＰＳＵサイズＮＢＳＰＳを超える場合、ブロックＳＰＳＵに割り当てることができなかった下りデータを送信するためのＳＰＳＵをダイナミックスケジューリングにより割り当ててもよい。
【００４０】
また、リソース割り当て部１０５は、下りデータ格納数ＮＢＵＦＦＥＲがブロックＳＰＳＵサイズＮＢＳＰＳを超える状態が所定回数以上繰り返された場合、その時点での下りデータ格納数ＮＢＵＦＦＥＲに応じて、ブロックＳＰＳＵサイズＮＢＳＰＳを更新し、更新したブロックＳＰＳＵサイズＮＢＳＰＳのブロックＳＰＳＵを所定の時間間隔ＴＩで割り当ててもよい。
【００４１】
また、リソース割り当て部１０５は、下りデータ格納数ＮＢＵＦＦＥＲが０である状態が所定回数以上繰り返された場合、ダイナミックスケジューリング対象のＵＥ２０などに無線リソースを割り当てることができるように、所定の時間間隔ＴＩで確保していたブロックＳＰＳＵを解放してもよい。この場合、リソース割り当て部１０５は、下りデータキュー１０４に下りデータが格納された時点で、ブロックＳＰＳＵを再確保する。
【００４２】
一方、リソース割り当て部１０５は、下りデータ格納数ＮＢＵＦＦＥＲが０である状態が所定回数以上繰り返されていない場合、ブロックＳＰＳＵの解放と再確保に係る制御オーバヘッドを防止するために、下りデータがなくともブロックＳＰＳＵを確保し続けてもよい。
【００４３】
また、リソース割り当て部１０５は、ブロックＳＰＳＵサイズＮＢＳＰＳに応じた数の下りデータを下りデータキュー１０４から取り出し、取り出した下りデータをリソース割り当て部１０５によって確保されたブロックＳＰＳＵを構成するＳＰＳＵを用いて、下りデータキュー１０４から取り出した下りデータを送信するように無線通信部１０１に要求する。
【００４４】
また、リソース割り当て部１０５は、上りデータ用のブロックＳＰＳＵを構成するＳＰＳＵの数であるブロックＳＰＳＵサイズＮＢＳＰＳを決定し、決定したブロックＳＰＳＵサイズＮＢＳＰＳのブロックＳＰＳＵを所定の時間間隔ＴＩで確保する。
【００４５】
ここで、上りデータ用のブロックＳＰＳＵサイズＮＢＳＰＳは、予め定められた固定値であってもよいし、後述するＵＥ２０の割り当て要求部２０７からの要求の数に応じて決定された値であってもよい。
【００４６】
また、リソース割り当て部１０５は、後述するＵＥ２０の割り当て要求部２０７からのＵＥ２０に対するブロックＳＰＳＵの割り当て要求に応じて、ＵＥ２０に対して上りデータ用のブロックＳＰＳＵを構成するＳＰＳＵを割り当てる。
【００４７】
また、リソース割り当て部１０５は、後述するＳＰＳＵブラインド検出部１０７から指示されたＵＥ２０に対して、上りデータを送信するための無線リソースをダイナミックスケジューリングにより割り当ててもよい。
【００４８】
割り当て情報生成部１０６は、ブロック割り当て情報を生成する。ここでは、本実施形態に係るブロック割り当て情報について、従来のＳＰＳＵ割り当て情報と比較しながら説明する。図５は、従来のＳＰＳＵ割り当て情報及びブロック割り当て情報を説明するための図である。
【００４９】
従来の無線リソースの割り当て方法では、セミパーシステントスケジューリングの対象となるＵＥ２０ａ乃至２０ｅのそれぞれにＳＰＳＵが割り当てられるので（図２（ａ）参照）、図５（ａ）に示すように、ＵＥ２０ａ乃至２０ｄのそれぞれに対してＳＰＳＵ割り当て情報が生成される。ここで、ＳＰＳＵ割り当て情報とは、ＵＥ２０に所定の時間間隔ＴＩで固定的に割り当てられたＳＰＳＵを示す情報であり、ＳＰＳＵの割り当て開始時に生成されてＵＥ２０に通知される。
【００５０】
例えば、図５（ａ）のサブフレーム１では、サブフレーム１においてＳＰＳＵの割り当てが開始されるＵＥ２０ａ乃至ＵＥ２０ｄのそれぞれに対して、ＰＤＣＣＨを用いてＳＰＳＵ割り当て情報が通知される。また、サブフレーム２では、サブフレーム２においてＳＰＳＵの割り当てが開始されるＵＥ２０ｅのみに対して、ＰＤＣＣＨを用いてＳＰＳＵ割り当て情報が通知される。
【００５１】
一方、本実施形態に係る無線リソースの割り当て方法では、セミパーシステントスケジューリングの対象となるＵＥ２０ａ乃至２０ｅ間でブロックＳＰＳＵが共有されるので（図２（ｂ）参照）、図５（ｂ）に示すように、割り当て情報生成部１０６は、ブロック割り当て情報を生成する。ここで、ブロック割り当て情報とは、所定の時間間隔ＴＩで固定的に確保されたブロックＳＰＳＵを示す情報であり、当該ブロックＳＰＳＵが割り当てられたＵＥ２０に通知される。
【００５２】
例えば、図５（ｂ）のサブフレーム１では、サブフレーム１においてブロックＳＰＳＵの割り当てが開始されるＵＥ２０ａ乃至ＵＥ２０ｄに対して、ＰＤＣＣＨを用いて１つのブロック割り当て情報が通知される。また、サブフレーム２では、サブフレーム２においてブロックＳＰＳＵの割り当てが開始されるＵＥ２０ｅのみに対して、ＰＤＣＣＨを用いてブロック割り当て情報が通知される。
【００５３】
また、割り当て情報生成部１０６は、以上のようなブロック割り当て情報に対して、当該ブロック割り当て情報の宛先グループの識別情報を付加する。ここで、宛先グループとは、当該ブロック割り当て情報が示すブロックＳＰＳＵに割り当てられたＵＥ２０から構成されるグループである。
【００５４】
図６は、本実施形態に係るブロック割り当て情報を説明するための図である。図６に示すように、割り当て情報生成部１０６は、ブロック割り当て情報に対して、ＣＲＣ（Ｃｙｃｌｉｃ  Ｒｅｄｕｎｄａｎｃｙ  Ｃｈｅｃｋ）などの誤り検出符号を付加し、付加した誤り検出符号に対して宛先グループの識別情報（Ｇｒｏｕｐ−ＩＤ）を含むビット列を重畳する。なお、重畳とは、所定の演算方式を用いて、付加した誤り検出符号と宛先グループの識別情報を含むビット列とを演算することをいう。所定の演算方式としては、例えば、排他的論理和が用いられる。
【００５５】
ここで、本実施形態に係るブロック割り当て情報に付加した誤り検出符号（例えば、ＣＲＣとする）に重畳されるビット列について詳述する。従来のＳＰＳＵ割り当て情報（図５（ａ）参照）に付加したＣＲＣに重畳されるビット列は、当該ＳＰＳＵ割り当て情報の宛先ＵＥ２０の識別情報（１６ビット）である。一方、本実施形態に係るブロック割り当て情報に付加したＣＲＣに重畳されるビット列は、上位ｘビットの宛先グループの識別情報（Ｇｒｏｕｐ−ＩＤ）と、下位１６−ｘビットの当該宛先グループ内におけるＵＥ２０の識別情報とに階層化される。なお、下位１６−ｘビットのグループ内におけるＵＥ２０の識別情報には、図６に示すように、０（ゼロ）が設定されてもよい。これは、ブロック割り当て情報のＣＲＣに対して宛先グループの識別情報（Ｇｒｏｕｐ−ＩＤ）が重畳されていれば、ＵＥ２０の識別情報が重畳されていなくても、ＵＥ２０は、予め通知されたグループの識別情報に基づいて、ブロック割り当て情報が自端末の属するグループ宛てであるか否かを検出及び受信できるからである。
【００５６】
上述の例では、ブロック割り当て情報に付加したＣＲＣに重畳されるビット列は、宛先グループの識別情報を含む１６ビットのビット列であるものとしたが、１６ビットに限られるものではない。また、宛先グループの識別情報は、ブロック割り当て情報に直接重畳されてもよいし、重畳ではなく、新たなビットとしてブロック割り当て情報に付加されてもよい。
【００５７】
また、割り当て情報生成部１０６は、以上のようにグループの識別情報が付加されたブロック割り当て情報を、ＰＤＣＣＨを用いて送信するように無線通信部１０１に要求する。
【００５８】
ＳＰＳＵブラインド検出部１０７は、無線通信部１０１によって上りデータ用のブロックＳＰＳＵを用いて受信された上りデータの送信元のＵＥ２０を検出する。図７は、本実施形態に係るＳＰＳＵブラインド検出を説明するための図である。
【００５９】
図７に示すように、上りデータ用のブロックＳＰＳＵを用いて受信された各上りデータには、図４に示す下りデータと同様に、各上りデータの送信元のＵＥ２０の識別情報（ＵＥ-ＩＤ）が付加されている。ＳＰＳＵブラインド検出部１０７は、ブロックＳＰＳＵを用いて受信された各上りデータに付加されたＣＲＣを、当該ブロックＳＰＳＵに割り当てられたＵＥ２０の識別情報で順番に逆演算する。ＳＰＳＵブラインド検出部１０７は、誤り検出符号が正しく取り出せたＵＥ２０が上りデータの送信元であることを検出する。
【００６０】
また、ＳＰＳＵブラインド検出部１０７は、上りデータ用のブロックＳＰＳＵで、当該ブロックＳＰＳＵに割り当てられたＵＥ２０を送信元とする上りデータが検出されなかった場合、ＵＥ２０間で上りデータの衝突があったと判断し、当該ＵＥ２０からの上りデータを送信するためのＳＰＳＵをダイナミックスケジューリングにより割り当てるようにリソース割り当て部１０５に要求してもよい。
【００６１】
上りデータ取得部１０８は、ＳＰＳＵブラインド検出部１０７によって送信元が検出された各上りデータについて、取り出されたＣＲＣに基づく誤り検出処理を行う。上りデータ取得部１０８は、誤り検出処理が行われた各上りデータを取得する。
【００６２】
＜ＵＥ２０の構成＞
図３に示すように、ＵＥ２０は、無線通信部２０１、割り当て情報検出部２０２、ＳＰＳＵブラインド検出部２０３、下りデータ取得部２０４、上りデータ生成部２０５、ＵＥ−ＩＤ付加部２０６、割り当て要求部２０７、ＳＰＳＵランダム割り当て部２０８を具備する。
【００６３】
無線通信部２０１は、ｅＮＢ１０との間で各種データを送受信する。具体的には、無線通信部２０１は、ＰＤＣＣＨを用いてブロック割り当て情報を受信する。また、無線通信部２０１は、ＰＤＳＣＨを用いて下りデータを受信する。また、無線通信部２０１は、ＰＵＳＣＨを用いて上りデータを送信する。
【００６４】
割り当て情報検出部２０２は、無線通信部２０１によって受信されたブロック割り当て情報の中から自グループ宛てのブロック割り当て情報を検出する。具体的には、割り当て情報検出部２０２は、ブロック割り当て情報に付加されたグループの識別情報が、予めｅＮＢ１０から通知されたグループの識別情報と一致するか否によって、自グループ宛てのブロック割り当て情報を検出する。
【００６５】
例えば、割り当て情報検出部２０２は、図６に示すようにブロック割り当て情報に付加されたＣＲＣを、予めｅＮＢ１０から通知されたグループの識別情報と０（ゼロ）から構成されるビット列で逆演算し、当該ビット列でＣＲＣが正しく取り出せたブロック割り当て情報が自グループ宛てであることを検出する。割り当て情報検出部２０２は、取得したブロック割り当て情報が示すブロックＳＰＳＵをＳＰＳＵブラインド検出部２０３及びＳＰＳＵランダム割り当て部２０８に通知する。
【００６６】
ＳＰＳＵブラインド検出部２０３は、無線通信部２０１で受信された下りデータに付加されたＵＥ２０の識別情報に基づいて、自端末宛ての下りデータを検出する。例えば、ＳＰＳＵブラインド検出部２０３は、図７の上りデータと同様に、各下りデータに付加されたＣＲＣを、自端末の識別情報（ＵＥ−ＩＤ）で順番に逆演算し、自端末の識別情報でＣＲＣが正しく取り出せた下りデータが自端末宛てであると検出する。
【００６７】
下りデータ取得部２０４は、ＳＰＳＵブラインド検出部２０３によって自端末宛てであると検出された下りデータについて、取り出されたＣＲＣに基づく誤り検出処理を行う。下りデータ取得部２０４は、誤り検出処理が行われた下りデータを取得する。
【００６８】
上りデータ生成部２０５は、セミパーシステントスケジューリング対象の上りデータを生成する。
【００６９】
ＵＥ−ＩＤ付加部２０６は、上りデータ生成部２０５で生成された上りデータに対して、自端末の識別情報を付加する。ＵＥ−ＩＤ付加部２０６は、例えば、図４の下りデータと同様に、上りデータに対してＣＲＣなどの誤り検出符号を付加し、付加された誤り検出符号と自端末の識別情報（ＵＥ−ＩＤ）との排他的論理和を演算してもよい。
【００７０】
割り当て要求部２０７は、上りデータ用のブロックＳＰＳＵが自端末に割り当てられていない場合、当該ブロックＳＰＳＵの割り当てをｅＮＢ１０のリソース割り当て部１０５に要求する。具体的には、割り当て要求部２０７は、ｅＮＢ１０のリソース割り当て部１０５に対するブロックＳＰＳＵの割り当て要求を送信するように無線通信部２０１に指示する。
【００７１】
ＳＰＳＵランダム割り当て部２０８は、ｅＮＢ１０のリソース割り当て部１０５によって自端末に割り当てられたブロックＳＰＳＵを構成するＳＰＳＵの中から、ランダムにＳＰＳＵを選択する。ＳＰＳＵランダム割り当て部２０８は、選択されたＳＰＳＵを用いて、ＵＥ−ＩＤ付加部２０６でＣＲＣが付加されるとともにＵＥ−ＩＤが重畳された上りデータを送信するように無線通信部２０１に指示する。
【００７２】
＜無線通信システムの動作＞
次に、以上のように構成された本実施形態に係る無線通信システムの動作について説明する。
【００７３】
（１）下りデータの送信動作
図８を参照し、本実施形態に係る下りデータの送信動作を説明する。図８は、本実施形態に係る下りデータの送信動作を示すシーケンス図である。
【００７４】
図８に示すように、ｅＮＢ１０の下りデータ生成部１０２は、ＶｏＩＰデータなどのセミパーシステントスケジューリング対象となる下りデータを生成する（ステップＳ１０１）。ＵＥ−ＩＤ付加部１０３は、図４で説明したように、生成された下りデータに対して該下りデータの宛先のＵＥ２０の識別情報を付加し、ＵＥ２０の識別情報が付加された下りデータを下りデータキュー１０４にＦＩＦＯで格納する（ステップＳ１０２）。
【００７５】
リソース割り当て部１０５は、下りデータ用のブロックＳＰＳＵが確保されているか否かを判定する（ステップＳ１０３）。下りデータ用のブロックＳＰＳＵが確保されていない場合（ステップＳ１０３；Ｎｏ）、リソース割り当て部１０５は、所定数のＳＰＳＵから構成されるブロックＳＰＳＵを所定の時間間隔ＴＩで確保する（ステップＳ１０４）。
【００７６】
リソース割り当て部１０５は、ブロックＳＰＳＵとして確保された確保時間ＴＢＳＰＳであるか否かを判定する（ステップＳ１０５）。確保時間ＴＢＳＰＳではない場合（ステップＳ１０５；Ｎｏ）、リソース割り当て部１０５は、所定時間待機した後、ステップＳ１０５に戻る。
【００７７】
一方、ブロックＳＰＳＵの確保時間ＴＢＳＰＳである場合（ステップＳ１０５：Ｙｅｓ）、リソース割り当て部１０５は、下りデータキュー１０４に格納された下りデータの宛先となるＵＥ２０に対して、ブロックＳＰＳＵを構成するＳＰＳＵを割り当てる（ステップＳ１０６）。
【００７８】
リソース割り当て部１０５は、ブロックＳＰＳＵを構成するＳＰＳＵに割り当てられたＵＥ２０の中に、ブロックＳＰＳＵを構成するＳＰＳＵに初めて割り当てられたＵＥ２０が含まれるか否かを判定する（ステップＳ１０７）。
【００７９】
ブロックＳＰＳＵを構成するＳＰＳＵに初めて割り当てられたＵＥ２０が含まれる場合（ステップＳ１０７；Ｙｅｓ）、割り当て情報生成部１０６は、当該ＵＥ２０に対するブロック割り当て情報を生成し、生成したブロック割り当て情報に宛先グループの識別情報を付加する（ステップＳ１０８）。
【００８０】
無線通信部１０１は、割り当て情報生成部１０６によってグループの識別情報が付加されたブロック割り当て情報を、ＰＤＣＣＨを用いて送信する（ステップＳ１０９）。
【００８１】
無線通信部１０１は、ブロックＳＰＳＵを構成するＳＰＳＵに割り当てられたＵＥ２０に対する下りデータを下りデータキュー１０４から取り出し、割り当てられたＳＰＳＵを用いて送信する（ステップＳ１１０）。
【００８２】
ＵＥ２０の割り当て情報検出部２０２は、ＰＤＣＣＨを用いて受信されたブロック割り当て情報に付加されたグループの識別情報が自グループの識別情報と一致するか否かを判定することによって、自グループ宛てのブロック割り当て情報を検出する（ステップＳ１１１）。具体的には、割り当て情報検出部２０２は、予めｅＮＢ１０から通知されたグループの識別情報を用いてＣＲＣを逆演算し、ＣＲＣが正しく取り出せたブロック割り当て情報を取得する。
【００８３】
ＳＰＳＵブラインド検出部２０３は、ブロック割り当て情報が示すブロックＳＰＳＵを用いて無線通信部２０１で受信された下りデータの中から、自端末宛ての下りデータを検出する（ステップＳ１１２）。具体的には、ＳＰＳＵブラインド検出部２０３は、図７に示すように各下りデータに付加されたＣＲＣを、自端末の識別情報で順番に逆演算し、自端末の識別情報でＣＲＣが正しく取り出せた下りデータが自端末宛てであると検出する。
【００８４】
下りデータ取得部２０４は、ＳＰＳＵブラインド検出部２０３によって自端末宛てであると検出された下りデータについて、取り出されたＣＲＣに基づく誤り検出処理を行う。下りデータ取得部２０４は、誤り検出処理が行われた下りデータを取得する（ステップＳ１１３）。
【００８５】
（２）上りデータの送信動作
図９を参照し、本実施形態に係る上りデータの送信動作を説明する。図９は、本実施形態に係る上りデータの送信動作を示すシーケンス図である。
【００８６】
ＵＥ２０の上りデータ生成部２０５は、ＶｏＩＰデータなどのセミパーシステントスケジューリング対象となる上りデータを生成する（ステップＳ２０１）。ＵＥ−ＩＤ付加部１０３は、図４の下りデータと同様に、生成された上りデータに対して自端末の識別情報を付加する（ステップＳ２０２）。
【００８７】
割り当て要求部２０７は、上りデータ用のブロックＳＰＳＵを構成するＳＰＳＵが自端末に割り当てられているか否かを判定する（ステップＳ２０３）。当該ＳＰＳＵが自端末に割り当てられていない場合（ステップＳ２０３；Ｎｏ）、割り当て要求部２０７は、ｅＮＢ１０のリソース割り当て部１０５に対して、自端末に対するブロックＳＰＳＵを構成するＳＰＳＵの割り当てを要求する（ステップＳ２０４）。
【００８８】
ｅＮＢ１０のリソース割り当て部１０５は、ＵＥ２０の割り当て要求部２０７からの要求に応じて、ＵＥ２０に対してブロックＳＰＳＵを構成するＳＰＳＵを割り当てる（ステップＳ２０５）。
【００８９】
割り当て情報生成部１０６は、当該ＵＥ２０に対するブロック割り当て情報を生成し、生成したブロック割り当て情報にグループの識別情報を付加する（ステップＳ２０６）。無線通信部１０１は、割り当て情報生成部１０６によってグループの識別情報が付加されたブロック割り当て情報を、ＰＤＣＣＨを用いて送信する（ステップＳ２０７）。
【００９０】
ＵＥ２０の割り当て情報検出部２０２は、ＰＤＣＣＨを用いて受信されたブロック割り当て情報に付加されたグループの識別情報が自グループの識別情報と一致するか否かを判定することによって、自グループ宛てのブロック割り当て情報を検出する（ステップＳ２０８）。具体的には、割り当て情報検出部２０２は、予めｅＮＢ１０から通知されたグループの識別情報を用いてＣＲＣを逆演算し、ＣＲＣが正しく取り出せたブロック割り当て情報を取得する。
【００９１】
ＳＰＳＵランダム割り当て部２０８は、ＵＥ２０に割り当てられたブロックＳＰＳＵの確保時間ＴＢＳＰＳであるか否かを判定する（ステップＳ２０９）。一方、ブロックＳＰＳＵの確保時間ＴＢＳＰＳではない場合（ステップＳ２０９；Ｎｏ）、本動作は、所定時間待機し、ステップＳ２０９に戻る。
【００９２】
一方、ブロックＳＰＳＵの確保時間ＴＢＳＰＳである場合（ステップＳ２０９；Ｙｅｓ）、ＳＰＳＵランダム割り当て部２０８は、ＵＥ２０に割り当てられたブロックＳＰＳＵを構成するＳＰＳＵの中から、ランダムにＳＰＳＵを選択する（ステップＳ２１０）。
【００９３】
無線通信部２０１は、ＳＰＳＵランダム割り当て部２０８により選択されたＳＰＳＵを用いて、ステップＳ２０２でＵＥ２０の識別情報が付加された上りデータをｅＮＢ１０に送信する（ステップＳ２１１）。
【００９４】
ｅＮＢ１０のＳＰＳＵブラインド検出部１０７は、ブロックＳＰＳＵを用いて無線通信部１０１で受信された上りデータの送信元を検出する（ステップＳ２１２）。具体的には、ＳＰＳＵブラインド検出部２０３は、図７に示すように各上りデータに付加されたＣＲＣを、同じブロックＳＰＳＵに割り当てられた各ＵＥ２０の識別情報で順番に逆演算し、ＣＲＣが正しく取り出せるか否かによって、送信元のＵＥ２０を検出する。
【００９５】
上りデータ取得部１０８は、ＳＰＳＵブラインド検出部１０７によって送信元が検出された上りデータについて、取り出されたＣＲＣに基づく誤り検出処理を行う。上りデータ取得部１０８は、誤り検出処理が行われた上りデータを取得する（ステップＳ２１３）。
【００９６】
一方、ＳＰＳＵブラインド検出部１０７は、ブロックＳＰＳＵに割り当てられたＵＥ２０を送信元とする上りデータを検出できなかった場合、ＵＥ２０間で上りデータの衝突を検出する（ステップＳ２１４）。かかる場合、リソース割り当て部１０５は、ＳＰＳＵブラインド検出部１０７からの指示に応じて、衝突したＵＥ２０に対してダイナミックスケジューリングによりＳＰＳＵを割り当てる。
【００９７】
割り当て情報生成部１０６は、図５（ａ）に示すように、ダイナミックスケジューリングよりＵＥ２０に割り当てられたＳＰＳＵを示すＳＰＳＵ割り当て情報を生成し、無線通信部１０１は、生成されたＳＰＳＵ割り当て情報を、ＰＤＣＣＨを用いて送信する（ステップＳ２１５）。
【００９８】
ＵＥ２０の無線通信部２０１は、ステップＳ２１５で送信されたＳＰＳＵ割り当て情報が示すＳＰＳＵを用いて、衝突の生じた上りデータを送信する（ステップＳ２１６）。
【００９９】
（３）下りデータ送信用のブロックＳＰＳＵの確保動作
図１０及び図１１を参照し、本実施形態に係る下りデータ用のブロックＳＰＳＵの確保動作について詳述する。図１０乃至１１は、本実施形態に係る下りデータ用のブロックＳＰＳＵの確保動作を示す図である。
【０１００】
図１０に示すように、ｅＮＢ１０のリソース割り当て部１０５は、ブロックＳＰＳＵとして確保された確保時間ＴＢＳＰＳにおいて、下りデータキュー１０４に格納された下りデータの数である下りデータ格納数ＮＢＵＦＦＥＲが０である場合であっても、当該状態が所定回数以上繰り返されていない場合は、ブロックＳＰＳＵを確保し続ける。
【０１０１】
例えば、図１０においては、リソース割り当て部１０５は、確保時間ＴＢＳＰＳ３においては、下りデータ格納数ＮＢＵＦＦＥＲが０であるが、ブロックＳＰＳＵの解放と再確保に係る制御オーバヘッドを防止するために、ブロックＳＰＳＵを確保し続ける。
【０１０２】
一方、図１１に示すように、ｅＮＢ１０のリソース割り当て部１０５は、ブロックＳＰＳＵとして確保された確保時間ＴＢＳＰＳにおいて、下りデータ格納数ＮＢＵＦＦＥＲが０である状態が所定回数Ｓ以上繰り返された場合、ダイナミックスケジューリング対象のＵＥ２０などに無線リソースを割り当てることができるように、所定の時間間隔ＴＩで確保していたブロックＳＰＳＵを解放してもよい。この場合、リソース割り当て部１０５は、下りデータキュー１０４に下りデータが格納された時点で、ブロックＳＰＳＵを再確保する。
【０１０３】
例えば、図１１においては、リソース割り当て部１０５は、確保時間ＴＢＳＰＳ３において、下りデータ格納数ＮＢＵＦＦＥＲが０である状態が所定回数Ｓ（例えば、３）以上繰り返されたので、確保時間ＴＢＳＰＳ３において、ブロックＳＰＳＵを解放する。また、確保時間ＴＢＳＰＳ５において、ブロックＳＰＳＵを再確保する。
【０１０４】
（４）下りデータ送信用のブロックＳＰＳＵを構成するＳＰＳＵの割り当て動作
図１２乃至図１３を参照し、本実施形態に係る下りデータ用のブロックＳＰＳＵを構成するＳＰＳＵの割り当て動作について詳述する。図１２乃至１３は、本実施形態に係る下りデータ用のブロックＳＰＳＵを構成するＳＰＳＵの割り当て動作を示す図である。なお、図１２及び１３において、ｅＮＢ１０のリソース割り当て部１０５は、所定の時間間隔ＴＩでブロックＳＰＳＵを確保しているものとする。
【０１０５】
図１２に示すように、ｅＮＢ１０のリソース割り当て部１０５は、ブロックＳＰＳＵとして確保された確保時間ＴＢＳＰＳまでに、下りデータ格納数ＮＢＵＦＦＥＲが、ブロックＳＰＳＵを構成するＳＰＳＵの数であるＳＰＳＵサイズＮＢＳＰＳを超える場合、ブロックＳＰＳＵを構成するＳＰＳＵを割り当てることができないＵＥ２０に対してダイナミックスケジューリングによりＳＰＳＵを割り当ててもよい。
【０１０６】
例えば、図１２においては、リソース割り当て部１０５は、ＵＥ２０ａ、ＵＥ２０ｄ、ＵＥ２０ｂに対してブロックＳＰＳＵを構成するＳＰＳＵを割り当てることができる。一方、リソース割り当て部１０５は、ＵＥ２０ｅ、ＵＥ２０ｃに対しては、ブロックＳＰＳＵを構成するＳＰＳＵを割り当てることができないため、ダイナミックスケジューリングによりＳＰＳＵを割り当てる。
【０１０７】
また、図１３に示すように、ｅＮＢ１０のリソース割り当て部１０５は、ブロックＳＰＳＵとして確保された確保時間ＴＢＳＰＳまでに、下りデータ格納数ＮＢＵＦＦＥＲがＳＰＳＵサイズＮＢＳＰＳを超える状態が所定回数Ｓ継続された場合、ブロックＳＰＳＵを構成するＳＰＳＵ数を増加させてもよい。
【０１０８】
例えば、図１３においては、リソース割り当て部１０５は、確保時間ＴＢＳＰＳ３において、下りデータ格納数ＮＢＵＦＦＥＲがブロックＳＰＳＵサイズＮＢＳＰＳよりも大きい状態が所定回数Ｓ（例えば、３）以上繰り返されたので、確保時間ＴＢＳＰＳ３では、下りデータ格納数ＮＢＵＦＦＥＲに応じて、ブロックＳＰＳＵサイズＮＢＳＰＳを３から５に更新し、更新したブロックＳＰＳＵサイズＮＢＳＰＳのブロックＳＰＳＵを所定の時間間隔ＴＩで割り当てる。
【０１０９】
＜作用・効果＞
本実施形態に係る無線通信システムによれば、ブロックＳＰＳＵが所定の時間間隔で固定的に確保され、当該ブロックＳＰＳＵがセミパーシステントスケジューリング対象のＵＥ２０間で共有される。このため、セミパーシステントスケジューリング対象の特定のＵＥ２０が無音状態と有音状態を繰り返す場合であっても、制御オーバヘッドの増加を防止でき、かつ、無線リソースを効率的に利用できる。
【０１１０】
［その他の実施形態］
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１１１】
１０…ｅＮＢ、２０、２０ａ乃至２０ｅ…ＵＥ、１０１…無線通信部、１０２…下りデータ生成部、１０３…ＵＥ−ＩＤ付加部、１０４…下りデータキュー、１０５…リソース割り当て部、１０６…割り当て情報生成部、１０７…ＳＰＳＵブラインド検出部、１０８…上りデータ取得部、２０１…無線通信部、２０２…割り当て情報検出部、２０３…ＳＰＳＵブラインド検出部、２０４…下りデータ取得部、２０５…上りデータ生成部、２０６…ＵＥ−ＩＤ付加部、２０７…割り当て要求部、２０８…ＳＰＳＵランダム割り当て部
【図１】
2011188179.tif 000003
【図２】
2011188179.tif 000004
【図３】
2011188179.tif 000005
【図４】
2011188179.tif 000006
【図５】
2011188179.tif 000007
【図６】
2011188179.tif 000008
【図７】
2011188179.tif 000009
【図８】
2011188179.tif 000010
【図９】
2011188179.tif 000011
【図１０】
2011188179.tif 000012
【図１１】
2011188179.tif 000013
【図１２】
2011188179.tif 000014
【図１３】
2011188179.tif 000015